【手続補正書】
【提出日】平成19年8月16日(2007.8.16)
【手続補正１】
【補正対象書類名】明細書
【補正対象項目名】特許請求の範囲
【補正方法】変更
【補正の内容】
【特許請求の範囲】
【請求項１】  並列処理形式の複合規格に従う通信装置であって、
ａ）所定入力レベルで少なくとも入力信号を受信する第１サブユニット（１２、２６）と、
ｂ）特定時間、周波数及び前記第１サブユニット（１２、２６）の入力レベルに比べてかなり大きい出力レベルで、少なくとも出力信号を送信する第２サブユニット（１４、３０）とを備え、
ｃ）前記第２サブユニット（１４、３０）が出力信号を送信している場合に、前記第１サブユニット（１２、２６）の動作モードが変更され、
前記第１サブユニット（１２、２６）は、前記第２サブユニット（１４、３０）の時間、周波数及び出力レベルの少なくとも一方を特定する少なくとも１つの信号を受信するための動作モード変更ユニット（３４）を有し、前記動作モード変更ユニット（３４）は、前記第１サブユニット（１２、２６）の入力特性を変更するように適応され、
前記第１サブユニット（１２、２６）の入力特性は、少なくとも２つの動作モードを有する低ノイズ増幅器（３６）を介して変更され、
前記低ノイズ増幅器（３６）は、
前記低ノイズ増幅器の少なくとも２つのバイアス状態を定義するように適応されている切替可能バイアスネットワーク（４０）と、
前記少なくとも２つのバイアス状態に対し、前記低ノイズ増幅器のノイズパフォーマンス、ゲイン及び安定性を最適化するように適応されている切替可能照合ネットワーク（４４）とを有する
ことを特徴とする通信装置。
【請求項２】  第１バイアス状態は、ノイズパフォーマンスを最適化し、かつ前記第２サブユニット（１４、３０）によって送信バーストが生成されない場合に前記第１サブユニット（１２、２６）の低電流消費を達成するための通常動作モードに関連づけられ、
第２バイアス状態は、前記第２サブユニット（１４、３０）によって送信バーストが生成される場合にブロッキングパフォーマンスを改善するゲイン調整モードに関連づけられている
ことを特徴とする請求項１に記載の通信装置。
【請求項３】  前記動作モード変更ユニット（３４）は、前記通常動作モードを起動するために少なくとも１つの信号を利用し、
前記少なくとも１つの信号は、
受信機動作を示す少なくとも１つの信号、
周波数帯域及びモードを選択するための信号、
前記受信信号の基本帯域情報を含む少なくとも１つの信号、
特定分周器率を設定するために使用される少なくとも１つの信号、
少なくとも１つの測位システムＳ／Ｎ測定信号
のグループから選択される
ことを特徴とする請求項１あるいは２に記載の通信装置。
【請求項４】  前記第２サブユニット（１４、３０）の前記送信機信号を定義する制御信号及び入力信号の少なくとも一方は、前記ゲイン調整モードを起動するために利用される
ことを特徴とする請求項１あるいは２に記載の通信装置。
【請求項５】  前記少なくとも１つの制御信号は、以下の
送信機動作を示す制御信号、
前記送信機の前記アンテナスイッチを起動するための制御信号、
周波数帯域あるいはモードを選択するための制御信号、
電力増幅器の上昇レベル及び電力レベルを設定するための制御信号、
送信機特定分周器率を設定するために使用される制御信号
のグループから選択される
ことを特徴とする請求項４に記載の通信装置。
【請求項６】  前記少なくとも１つの入力信号は、以下の
送信用基本帯域情報を含む入力信号、
送信／受信チェーンにおける局所発振器入力信号、
ＲＦ検出器によって検出される送受信機送信機信号、
前記第１サブユニット（１２、２６）の前記アンテナ（２８）によって受信され、かつ検出器を介して検出される干渉ＲＦ信号
のグループから選択される
ことを特徴とする請求項４あるいは５に記載の通信装置。
【請求項７】  前記切替可能照合ネットワークは、前記低ノイズ増幅器の増幅要素（４２）に対する少なくとも２つのバイアス状態を定義するように適応されている
ことを特徴とする請求項１乃至６のいずれか１項に記載の通信装置。
【請求項８】  並列処理形式の複合規格に従う通信装置であって、
ａ）所定入力レベルで少なくとも入力信号を受信する第１サブユニット（１２、２６）と、
ｂ）特定時間、周波数及び前記第１サブユニット（１２、２６）の入力レベルに比べてかなり大きい出力レベルで、少なくとも出力信号を送信する第２サブユニット（１４、３０）とを備え、
ｃ）前記第２サブユニット（１４、３０）が出力信号を送信している場合に、前記第１サブユニット（１２、２６）の動作モードが変更され、
前記第１サブユニット（１２、２６）は、前記第２サブユニット（１４、３０）の時間、周波数及び出力レベルの少なくとも一方を特定する少なくとも１つの信号を受信するための動作モード変更ユニット（３４）を有し、前記動作モード変更ユニット（３４）は、前記第１サブユニット（１２、２６）の入力特性を変更するように適応され、
前記第１サブユニット（１２、２６）の入力特性は、前記第２サブユニット（１４、３０）によって送信バーストが生成される場合にのみ前記第２サブユニット（１４、３０）からの干渉信号を遮断するように適応されている可調整フィルタ（３８、６４）を介して変更される、
ことを特徴とする通信装置。
【請求項９】  並列処理形式の複合規格に従う通信装置であって、
ａ）所定入力レベルで少なくとも入力信号を受信する第１サブユニット（１２、２６）と、
ｂ）特定時間、周波数及び前記第１サブユニット（１２、２６）の入力レベルに比べてかなり大きい出力レベルで、少なくとも出力信号を送信する第２サブユニット（１４、３０）とを備え、
ｃ）前記第２サブユニット（１４、３０）が出力信号を送信している場合に、前記第１サブユニット（１２、２６）の動作モードが変更され、
前記第１サブユニット（１２、２６）は、前記第２サブユニット（１４、３０）の時間、周波数及び出力レベルの少なくとも一方を特定する少なくとも１つの信号を受信するための動作モード変更ユニット（３４）を有し、前記動作モード変更ユニット（３４）は、前記第１サブユニット（１２、２６）の入力特性を変更するように適応され、
前記第１サブユニット（１２、２６）の入力特性は、切替可能受信機を介して変更され、
前記切替可能受信機は、
測位用信号を受信し、かつ前記測位システム測位信号を増幅するように適応されているアンテナに直接接続される第１低ノイズ増幅器（７２）と、
前記測位用信号を増幅するように適応されている第２低ノイズ増幅器（７４）と、
前記アンテナと前記第２低ノイズ増幅器間に接続され、かつブロッキング信号を除去するように適応されているフィルタ（７６）とを備え、
前記第１低ノイズ増幅器（７２）のパフォーマンスが干渉信号によって制限されている場合、前記フィルタ（７６）に接続されている前記第２低ノイズ増幅器（７４）が起動される
ことを特徴とする通信装置。
【請求項１０】  前記第１低ノイズ増幅器（７２）及び前記第２低ノイズ増幅器（７４）の少なくとも一方は、請求項１乃至５のいずれか１項に従って実現される
ことを特徴とする請求項９に記載の通信装置。
【請求項１１】  並列処理形式の複合規格に従う通信装置であって、
ａ）所定入力レベルで少なくとも入力信号を受信する第１サブユニット（１２、２６）と、
ｂ）特定時間、周波数及び前記第１サブユニット（１２、２６）の入力レベルに比べてかなり大きい出力レベルで、少なくとも出力信号を送信する第２サブユニット（１４、３０）とを備え、
ｃ）前記第２サブユニット（１４、３０）が出力信号を送信している場合に、前記第１サブユニット（１２、２６）の動作モードが変更され、
前記第１サブユニット（１２、２６）は、前記第２サブユニット（１４、３０）の時間、周波数及び出力レベルの少なくとも一方を特定する少なくとも１つの信号を受信するための動作モード変更ユニット（３４）を有し、前記動作モード変更ユニット（３４）は、前記第１サブユニット（１２、２６）の入力特性を変更するように適応され、
前記第１サブユニット（１２、２６）の入力特性は、可調整ゲインアンテナを介して変更され、前記アンテナ特性は、帯域信号外の追加減衰を提供するためのブロッキング信号が存在する場合の最大ゲインで前記周波数をシフトすることによって前記第１サブユニット（１２、２６）のブロッキングパフォーマンスを上げるように適応可能である
ことを特徴とする通信装置。
【請求項１２】  前記第１サブユニット（１２、２６）は、グローバル測位システム（ＧＰＳ）受信機であり、前記第２サブユニット（１４、３０）は、デュアルバンド移動通信規格ＧＳＭ９００／ＧＳＭ１９００に従う２つの送信信号を出力する
ことを特徴とする請求項１乃至１１のいずれか１項に記載の通信装置。